(57)【要約】【課題】小型、安価で、圧損が少なく吸引性能に優れた電気掃除機用吸込具を提供する。【解決手段】底面に第１の吸入口２３を有し、左右に分割された回転自在の第１回転ブラシ１７を内蔵した第１吸込具１１と、底面に第２の吸入口１５を有し、回転自在の第２回転ブラシ１９を内蔵すると共に第１吸込具１１に着脱自在に装着される第２吸込具１０からなり、第２吸込具１０を第１吸込具１１に装着した時、第２の吸入口１５は、前後方向で第１の吸入口２３と略同一箇所に位置すると共に、左右に分割された第１回転ブラシ１７の間に第２回転ブラシ１９が位置するもので、第１の吸入口２３と第２の吸入口１５との間に余分な吸引通路がないため、空気圧損が少なく塵埃吸引性能が向上すると共に、吸込具３全体の奥行き寸法、高さを小さくすることができ、しかも吸込具３の幅方向での清掃領域を隙間無くカバーすることができる。【選択図】図７
2008188376.tif 000002
【特許請求の範囲】
【請求項１】
底面に第１の吸入口を有する第１吸込具と、底面に第２の吸入口を有すると共に前記第１吸込具に着脱自在に装着される第２吸込具からなり、前記第１吸込具は、前記第１の吸入口に臨むように配され、かつ左右に分割されそれぞれ回転自在の第１回転ブラシを有し、前記第２吸込具は、前記第２の吸入口に臨むように配されかつ回転自在の第２回転ブラシを有し、前記第２吸込具を前記第１吸込具に装着したときに、前記第２の吸入口は、前後方向で前記第１の吸入口と略同一箇所に位置すると共に、左右に分割された前記第１回転ブラシの間に前記第２回転ブラシが位置するようにした電気掃除機用吸込具。
【請求項２】
第２吸込具に第２回転ブラシを回転駆動する駆動手段を設け、前記第２回転ブラシで第１回転ブラシを回転駆動するようにした請求項１に記載の電気掃除機用吸込具。
【請求項３】
第２回転ブラシの端部を第１回転ブラシの端部に当接させて、前記第１回転ブラシを回転駆動するようにした請求項２に記載の電気掃除機用吸込具。
【請求項４】
第２吸込具に、動作時に、駆動手段への通電を遮断する遮断手段を設け、第１吸込具に、前記第１吸込具が掃除面より離れたときに、前記遮断手段を動作させる動作体を設けた請求項２又は３に記載の電気掃除機用吸込具。
【請求項５】
吸引される空気流で第１回転ブラシを回転駆動するようにし、前記第１回転ブラシで第２回転ブラシを回転駆動するようにした請求項１に記載の電気掃除機用吸込具。
【請求項６】
電動送風機を内蔵する掃除機本体と、請求項１〜５のいずれか１項に記載の電気掃除機用吸込具を備えた電気掃除機。
【発明の詳細な説明】
【技術分野】
【０００１】
本発明は、第１吸込具と、その第１吸込具に着脱自在に装着される第２吸込具からなる電気掃除機用吸込具と、それを用いた電気掃除機に関するものである。
【背景技術】
【０００２】
従来のこの種の電気掃除機用吸込具として、図１０、図１１に示されるようなものがあった。（例えば、特許文献１参照）。図１０は、前記特許文献１に記載された従来の電気掃除機用吸込具の斜視図、図１１は、同電気掃除機用吸込具の断面図である。
【０００３】
図１０、１１において、従来の電気掃除機用吸込具１０１は、床面の塵埃を吸引するための第１吸込具１０２と、第１吸込具１０２より小型でしかも第１吸込具１０２に着脱自在に装着される第２吸込具１０３から構成されている。第１吸込具１０２の底面前側には、床面の塵埃を吸引するための第１の吸入口１０４が設けられ、第１吸込具１０２の後方には、上向きの開口部１０５を有すると共に第２吸込具１０３が着脱自在に装着される装着部１０６が設けられ、第１の吸入口１０４と開口部１０５とは連通している。１０７は、装着部１０６に装着された第２吸込具１０３を保持する操作レバーで、それを下方に足などで押すことにより、保持が解除され、第２吸込具１０３を第１吸込具１０２の装着部１０６から取り外す事ができるようになっている。
【０００４】
第２吸込具１０３は、狭いところや家具などを清掃するときに用いられるもので、底面に第２の吸入口１０８を有し、上方後部に傾動自在に取着され電気掃除機（図示せず）に連通接続された延長管１０９に接続される接続パイプ１１０を備え、第２吸込具１０３を、第１吸込具１０２の装着部１０６に装着すると、第１の吸入口１０４と第２の吸入口１０８とが連通するようになっている。
【０００５】
以上のように構成された上記従来の電気掃除機用吸込具１０１の動作、作用は以下の通りである。
【０００６】
延長管１０９に接続した第２吸込具１０３を、第１吸込具１０２の後方に設けた装着部１０６に装着し、電気掃除機を運転すると、電気掃除機に内蔵された電動送風機（図示せず）による吸引力が、第１吸込具１０２の底面前側に位置する第１の吸入口１０４に作用し、床面上の塵埃が空気と共に、その第１の吸入口１０４から流入し、第１吸込具１０２の後方上部に位置する装着部１０６に装着された第２吸込具１０３の第２の吸入口１０８、延長管１０９を経て電気掃除機に内蔵された集塵室（図示せず）に至り、そこで塵埃が捕捉される。
【０００７】
次に、家具や階段等の狭い場所を掃除する場合は、延長管１０９に第２吸込具１０３を接続したままで、操作レバー１０７を足で踏むと、操作レバー１０７による第２吸込具１０３の保持が解除されるので、延長管１０９を持ち上げると、第２吸込具１０３は、簡単に装着部１０６から外れ、直ちに狭い場所や家具などの掃除ができる。
【０００８】
また、従来の他の電気掃除機用吸込具の例として、図１２〜１４に示されるようなものがあった（例えば、特許文献２参照）。
【０００９】
図１２は、従来の他の電気掃除機用吸込具の斜視図、図１３は、同電気掃除機用吸込具の断面図、図１４は、同電気掃除機用吸込具の第２吸込具の断面図である。
【００１０】
図１２〜１４において、従来の電気掃除機用吸込具１１５は、床面の塵埃を吸引するための第１吸込具１１６と、第１吸込具１１６より小型でしかも第１吸込具１１６に着脱自在に装着される第２吸込具１１７から構成されている。
【００１１】
第１吸込具１１６の前側には、底面に第１の吸入口１１８を有すると共に床面上の塵埃を掻き上げる回転ブラシ１３０を回転自在に収納するブラシ室１３１が設けられ、第１吸込具１１６の略中央後方には、第１吸込具１１６が着脱自在に装着される略凹状の装着部１１９が設けられている。装着部１１９の前部には、ブラシ室１３１と連通する開口部１２０が設けられている。回転ブラシ１３０は、電動機１３４によって回転駆動される。
【００１２】
１２１は、装着部１１９に装着された第２吸込具１１７を保持する操作レバーで、それを下方に足などで押すことにより、保持が解除され、第２吸込具１１７を第１吸込具１１６の装着部１１９から取り外す事ができるようになっている。
【００１３】
第２吸込具１１７は、第１吸込具１１６より小型で、狭い場所や家具などを清掃するときに用いられるもので、底面に第２の吸入口１２２を有し、前端に、第２の吸入口１２２より開口面積が小さく、しかも部分的に蓋体１２３で開閉される第３の吸入口１２４を備え、中央後部には、第２、第３の吸入口１２２、１２４と連通すると共に延長管（図示せず）に接続される接続パイプ１２５が傾動自在に設けられている。そして、第２吸込具１１７を、第１吸込具１１６の装着部１１９に装着すると、第１吸込具１１６側に設けた突起１２６により蓋体１２３が押され、第３の吸入口１２４が開いて開口部１２０と連通すると共に、第２吸込具１１７の底面の第２の吸入口１２２が、第１吸込具１１６の装着部１１９の底面で塞がれるようになっている。
【００１４】
第２吸込具１１７の接続パイプ１２５には、接続パイプ１２５に延長管を接続したときに、その延長管に配されたリード線（図示せず）に電気的に接続される一対の受電ピン１３２が設けられ、第２吸込具１１７の前部下方には、前記受電ピン１３２に電気的に接続された給電部１３３が一対配されている。一方、第１吸込具１１６の装着部１１９には、第２吸込具１１７が装着部１１９に装着されたときに前記給電部１３３に接すると共に、電動機１３４に電気的に接続された一対の受電部１３５が設けられている。
【００１５】
以上のように構成された上記従来の電気掃除機用吸込具１１５の動作、作用は以下の通りである。
【００１６】
延長管に接続した第２吸込具１１７を、第１吸込具１１６の後部に設けた装着部１１９に装着すると、蓋体１２３が、突起１２６で押されて、第２吸込具１１７の第３の吸入口１２４が全開し、第１の吸入口１１８と連通すると共に、受電部１３５と給電部１３３が当接する。
【００１７】
そして電気掃除機を運転すると、延長管に設けたリード線からの電源が、受電ピン１３２、給電部１３３、受電部１３５を経て電動機１３４に供給され回転ブラシ１３０が回転すると共に、電気掃除機に内蔵された電動送風機（図示せず）による吸引力が、第１吸込具１１６の底面前側に位置する第１の吸入口１１８に作用し、回転ブラシ１３０で掻き上げられた床面上の塵埃が空気と共に、その第１の吸入口１１８から流入し、開口部１２０、第２吸込具１１７の前端に位置する第３の吸入口１２４、接続パイプ１２５、延長管を経て電気掃除機に内蔵された集塵室（図示せず）に至り、そこで塵埃が捕捉される。
【００１８】
次に、家具や階段等の狭い場所を掃除する場合は、延長管に第２吸込具１１７を接続した状態で、操作レバー１２１を足で踏むと、操作レバー１２１による第２吸込具１１７の保持が解除されるので、延長管を持ち上げると、第２吸込具１１７は、簡単に装着部１１９から外れ、蓋体１２３が第３の吸入口１２４の一部を残して閉じると共に、第２の吸入口１２２で、直ちに掃除を開始することができる。また、第２吸込具１１７を装着部１１９から取り外したときに、給電部１３３と受電部１３５とが離れ、電動機１３４への通電が遮断されるので、第１吸込具１１６を、床面に放置しても、回転ブラシ１３０が回転することが無く、安全である。
【００１９】
なお、蓋体１２３が第３の吸入口１２４の一部を残して閉じるのは、万が一、第２の吸入口１２２が、何らかの原因で完全に塞がれても、第３の吸入口１２４より外気を吸引して、電動送風機が異常過熱するのを防止するためのものである。
【００２０】
以上の構成により、第１吸込具１１６と第２吸込具１１７とを腰を屈めることなく切り換えることができ、通常の床面の掃除から階段等の狭い場所の掃除に簡単に切り換えることができる利便性を有している。
【特許文献１】特開２００１−３１４３５８号公報
【特許文献２】特開２００４−２８３２１６号公報
【発明の開示】
【発明が解決しようとする課題】
【００２１】
しかしながら、上記特許文献１に記載された従来の電気掃除機用吸込具の構成では、第２吸込具１０３が第１吸込具１０２に装着されたとき、第１吸込具１０２の第１の吸入口１０４が前側に位置し、第２吸込具１０３の第２の吸入口１０８が後ろ側に位置し、第１の吸入口１０４と第２の吸入口１０８とが前後方向でずれているため、吸引風がスムーズに流れず圧損が大きくなって塵埃の吸引性能が低下したり、紙くずなどかさばる塵埃が、途中で引っ掛かるなどといった課題があった。更に、第１吸込具１０２には、塵埃を掻き上げる為の回転ブラシなどが設けられていないため、特に掃除面がじゅうたんなどの場合、塵埃の除去性能が悪いという課題があった。
【００２２】
また、第１の吸入口１０４と第２の吸入口１０８とが前後方向でずれているため、電気掃除機用吸込具１０１の前後方向の寸法が大きくなり、電気掃除機用吸込具１０１が大型化するといった課題も有った。
【００２３】
また、上記特許文献２に記載された従来の電気掃除機用吸込具の構成では、第１の吸入口１１８に、電動機１３４で回転駆動される回転ブラシ１３０が設けられているので、じゅうたんなどの被掃除面からの塵埃の除去性能が良いが、電動機１３４に通電するため、給電部１３３、受電部１３５などの電気部品が必要になり、構造が複雑になり、しかも部品点数が増加するため、第１吸込具１１６が高価で、しかも重くなるという課題があった。
【００２４】
また、第１の吸入口１１８から吸引された塵埃を含む空気が、開口面積が小さく、また前端に設けられた第３の吸入口１２４を経て吸引されるようになっているので、電気掃除機用吸込具１１５の奥行き寸法が大きくなると共に、吸引通路が長くなって圧損が大きくなり清掃効果が低下したり、蓋体１２３を開ける機能も必要になるため、構造が複雑になり、製造コストが上昇するなどといった課題があった。また、開口面積が小さい第３の吸入口１２４を経て吸引されるようになっているので、紙くずなどの大きな塵埃が吸引通路内で引っ掛かるなどの課題があった。
【００２５】
本発明は、上記従来の課題を解決するもので、小型、安価で、塵埃除去性能に優れ、圧損が小さく、吸引性能に優れた電気掃除機用吸込具及び電気掃除機を提供することを目的とする。
【課題を解決するための手段】
【００２６】
上記従来の課題を解決するために、本発明の電気掃除機用吸込具は、底面に第１の吸入口を有する第１吸込具と、底面に第２の吸入口を有すると共に前記第１吸込具に着脱自在に装着される第２吸込具からなり、前記第１吸込具は、前記第１の吸入口に臨むように配され、かつ左右に分割されそれぞれ回転自在の第１回転ブラシを有し、前記第２吸込具は、前記第２の吸入口に臨むように配されかつ回転自在の第２回転ブラシを有し、前記第２吸込具を前記第１吸込具に装着したときに、前記第２の吸入口は、前後方向で前記第１の吸入口と略同一箇所に位置すると共に、左右に分割された前記第１回転ブラシの間に前記第２回転ブラシが位置するようにしたもので、第２吸込具を第１吸込具に装着したとき、第１の吸入口と第２の吸入口が略同一箇所に位置するので、空気圧損が少なくなり塵埃吸引性能が向上すると共に、電気掃除機用吸込具全体の奥行き寸法が小さくなり、使い勝手が向上する。また、左右の第１回転ブラシの間に第２回転ブラシが位置することにより、電気掃除機用吸込具の全体の高さが低くなると共に、電気掃除機用吸込具による幅方向での清掃領域を隙間無くカバーすることができる。
【００２７】
また、本発明の電気掃除機は、電動送風機を内蔵する掃除機本体と、請求項１〜５のいずれか１項に記載の電気掃除機用吸込具を備えたもので、吸引性能に優れた電気掃除機を提供することができる。
【発明の効果】
【００２８】
本発明の電気掃除機用吸込具及び電気掃除機は、小型、安価で、圧損が小さく、塵埃吸引性能に優れたものである。
【発明を実施するための最良の形態】
【００２９】
第１の発明は、底面に第１の吸入口を有する第１吸込具と、底面に第２の吸入口を有すると共に前記第１吸込具に着脱自在に装着される第２吸込具からなり、前記第１吸込具は、前記第１の吸入口に臨むように配され、かつ左右に分割されそれぞれ回転自在の第１回転ブラシを有し、前記第２吸込具は、前記第２の吸入口に臨むように回転自在に設けられた第２回転ブラシを有し、前記第２吸込具を前記第１吸込具に装着したときに、前記第２の吸入口は、前記第１の吸入口の上方に位置すると共に、左右に分割された前記第１回転ブラシの間に前記第２回転ブラシが位置するようにしたもので、第２吸込具を第１吸込具に装着したとき、第１の吸入口と第２の吸入口が略同一箇所に位置するので、空気圧損が少なくなり塵埃吸引性能が向上すると共に、電気掃除機用吸込具全体の奥行き寸法が小さくなり、使い勝手が向上する。また、左右の第１回転ブラシの間に第２回転ブラシが位置することにより、電気掃除機用吸込具の全体の高さが低くなると共に、電気掃除機用吸込具による幅方向での清掃領域を隙間無くカバーすることができる。
【００３０】
第２の発明は、特に、第１の発明の第２吸込具に第２回転ブラシを回転駆動する駆動手段を設け、前記第２回転ブラシで第１回転ブラシを回転駆動するようにしたもので、第１吸込具に、第１回転ブラシを回転駆動するための駆動手段を必要としないので、その駆動手段に通電するための部品や機構が不要になり、軽量化が図られると共に、信頼性を向上させることができる。
【００３１】
第３の発明は、特に、第２の発明の第２回転ブラシの端部を第１回転ブラシの端部に当接させて、前記第１回転ブラシを回転駆動するようにしたもので、第１回転ブラシを確実に回転駆動できると共に、第１回転ブラシと第２回転ブラシの回転数が同じになり、掃除面で掃除ムラが発生することが無い。
【００３２】
第４の発明は、特に、第２又は第３の発明の第２吸込具に、動作時に、駆動手段への通電を遮断する遮断手段を設け、第１吸込具に、前記第１吸込具が掃除面より離れたときに、前記遮断手段を動作させる動作体を設けたもので、第２吸込具を第１吸込具に装着して通常の掃除作業を行なっているときに、第１吸込具が掃除面から離れると、遮断手段が動作して、駆動手段への通電が遮断されるので、安全である。しかも、電気的な遮断手段を第１吸込具側に設ける必要がないので、第１吸込具の構成が簡略化され、安価に形成することができる。
【００３３】
第５の発明は、特に、第１の発明の電気掃除機用吸込具において、吸引される空気流で第１回転ブラシを回転駆動するようにし、前記第１回転ブラシで第２回転ブラシを回転駆動するようにしたもので、第２の回転ブラシを回転駆動する駆動手段を第２吸込具に設ける必要が無いので、第２吸込具の小型化、軽量化が図れる。
【００３４】
第６の発明は、電動送風機を内蔵する掃除機本体と、請求項１〜５のいずれか１項に記載の電気掃除機用吸込具を備えたもので、吸引性能、使用勝手に優れた電気掃除機を提供することができる。
【００３５】
以下、本発明の実施の形態について、図面を参照しながら説明する。なお、この実施の形態によって本発明が限定されるものではない。
【００３６】
（実施の形態１）
図１は、本発明の第１の実施の形態における電気掃除機用吸込具を接続した電気掃除機の全体斜視図、図２（ａ）は、同電気掃除機用吸込具の平面図、（ｂ）は、同電気掃除機用吸込具の側面図、（ｃ）は、図２（ａ）のＡ−Ａ断面図、図３（ａ）は、同電気掃除機用吸込具の第１吸込具の平面図、（ｂ）は、同第１吸込具の裏面図、図４は、同電気掃除機用吸込具の第２吸込具の側面図、図５（ａ）は、同第２吸込具の断面図、（ｂ）は、同第２吸込具の裏面図、図６は、同電気掃除機用吸込具の断面図、図７は、同電気掃除機用吸込具の裏面図である。
【００３７】
図１〜７において、本実施の形態における電気掃除機用吸込具が接続される電気掃除機１は、電動送風機（図示せず）を内蔵する掃除機本体７と、一端がホース継ぎ手５を介し掃除機本体７の前部に接続されるホース６と、ホース６の他端に設けられた手元ハンドル４に着脱自在に連結される延長管２を備え、延長管２の先端に本実施の形態における電気掃除機用吸込具３（以下「吸込具３」という）が接続される。
【００３８】
吸込具３は、主に広い床面の清掃に用いられる第１吸込具１１と、第１吸込具１１より小型で、第１吸込具１１に設けた収納凹部２６に着脱自在に装着されると共に、家具や狭い場所の清掃に使用される第２吸込具１０から構成されている。
【００３９】
第１吸込具１１は、幅広の吸込部２４と、その中央部分から後方に突出する走行部２５を有し、平面形状が略Ｔの字状に形成され、吸込部２４の前部から走行部２５にかけて、第２吸込具１０を収納する収納凹部２６が形成されている。
【００４０】
第１吸込具１１は、底面に形成された横長の第１の吸入口２３と、第１の吸入口２３に臨むように配され、かつ左右に分割されそれぞれ回転自在の第１回転ブラシ１７と、収納凹部２６に装着された第２吸込具１０を取り外す際に足などで踏み込む操作レバー１３と、収納凹部２６の両内壁に設けられ出没自在で操作レバー１３に連結された固定爪１８と、走行用の回転自在の車輪３６と、第１吸込具１１の本体１１ａの外周に取着され家具などへの傷つきを防止するためのバンパー１１ｃを備えている。
【００４１】
第１回転ブラシ１７のそれぞれは、回転軸１７ａと、回転軸１７ａの外周に配され床面上の塵埃を掻き取る清掃片１７ｂと、回転軸１７ａの中央よりの端部に固着されると共に磁気を帯びた磁気円盤１７ｃから構成されている。尚、磁気円盤１７ｃの外周には、端面側が径小になるように傾斜面１７ｄが形成されている。
【００４２】
また、固定爪１８は、通常図示しない付勢手段により、収納凹部２６の中央に向かって突出するように付勢され、その付勢手段の付勢力に抗して操作レバー１３を下方に押し下げることにより、固定爪１８は、本体１１ａ内に没するようになっている。１１ｂは、第１吸込具１１の本体１１ａに一体に形成され、第１回転ブラシ１７の両端を回転自在に支持する支持リブである。
【００４３】
第２吸込具１０は、底面に第２の吸入口１５を有する吸気ヘッド４０と、吸気ヘッド４０に回動連結部８を介して回動及び傾動自在に連結されると共に延長管２に連結するための連結管９から構成され、吸気ヘッド４０は、第２の吸入口１５に臨むように回転自在に配された第２回転ブラシ１９と、モータなどからなり、第２回転ブラシ１９をベルト３０を介して回転駆動する駆動手段３１を備えている。
【００４４】
連結管９には、連結管９に延長管２を接続したときに、延長管２内に配された配線（図示せず）と電気的に接続される受電ピン３２と、受電ピン３２と駆動手段３１を電気的に接続するリード線３３が配されている。
【００４５】
第２吸込具１０の吸気ヘッド４０の両側面には、第１吸込具１１に設けた固定爪１８が嵌合する固定穴３４と、第１吸込具１１の収納凹部２６の両内壁に設けた位置決め壁１１ｄ（図１及び３参照）の上端に当接して位置決めするための位置決めリブ１０ａが設けられている。また、吸気ヘッド４０の下面の前部と後部のそれぞれには、掃除面への傷付きを防止すると共に、吸気ヘッド４０の下面と掃除面との間に所定の隙間を確保するための起毛布１４が貼着されている。なお、起毛布１４は、シート面上に細かい毛を密集起毛させたものであるが、ブラシ、フェルト等を用いても良い。
【００４６】
第２回転ブラシ１９は、回転軸１９ａと、棒状のコアー部１９ｅと、コアー部１９ｅの外周に配され掃除面上の塵埃を掻き取る清掃片１９ｂからなり、回転軸１９ａの両端は、吸気ヘッド４０の側壁４０ａを貫通すると共に、端部に鉄製の吸着円盤１９ｃが固着されている。尚、吸着円盤１９ｃの外周には、端面側が径小になるような傾斜面１９ｄが形成されている。
【００４７】
本実施の形態では、第２吸込具１０を第１吸込具１１の収納凹部２６に収納すると、第２吸込具１０の位置決めリブ１０ａが、収納凹部２６の両内壁に設けた位置決め壁１１ｄの上端に当接して、上下方向での位置決めがされると共に、第１吸込具１１に設けた固定爪１８が、第２吸込具１０に設けた固定穴３４に嵌合し、第２吸込具１０が確実に固定される。同時に、第２の吸入口１５が、前後方向で、第１の吸入口２３と略同一箇所で、しかも同一面上で重なるように位置し、さらに、第２吸込具１０の第２回転ブラシ１９が、第１吸込具１１の２つの第１回転ブラシ１７の間に位置するように構成されている。
【００４８】
このとき、第２回転ブラシ１９の両端に設けた吸着円盤１９ｃが、それぞれの第１回転ブラシ１７の端部に設けた磁気円盤１７ｃと磁気的に吸着するので、駆動手段３１を駆動し、第２回転ブラシ１９を回転させると、その回転動力が第１回転ブラシ１７にも伝達され、第１回転ブラシ１７も回転するようになっている。
【００４９】
本実施の形態では、磁気円盤１７ｃ及び吸着円盤１９ｃのそれぞれの外周に傾斜面１７ｄ、１９ｄを設け、しかも吸着円盤１９ｃを付勢手段３８で外方に突出するように付勢しているので、第１吸込具１１の収納凹部２６への第２吸込具１０の脱着動作を支障なく行うことができる。
【００５０】
また、第１吸込具１１の収納凹部２６に装着された第２吸込具１０を取り外す時は、操作レバー１３を押し下げることにより、収納凹部２６に設けた固定爪１８が本体１１ａ内に没して、固定爪１８と固定穴３４との嵌合が外れるので、第２吸込具１０を第１吸込具１１から簡単に取り外す事ができる。
【００５１】
以上のように構成された本実施の形態における吸込具３の動作作用は以下の通りである。
【００５２】
通常の床面や絨毯を清掃するときは、第１吸込具１１の収納凹部２６に第２吸込具１０を装着して行なう。この状態では、第１吸込具１１側の固定爪１８が、第２吸込具１０の固定穴３４に嵌合しているので、ホース６の手元ハンドル４を左右、前後に操作しても第２吸込具１０が、第１吸込具１１から外れることは無い。
【００５３】
そして掃除機本体７を運転すると、それに内蔵された電動送風機による吸引力が、ホース６、延長管２、第２吸込具１０の連結管９を経て、第２の吸入口１５及びそれと同一面上に有る第１の吸入口２３に作用し、掃除面上の塵埃が空気と共に第１の吸入口２３、第２の吸入口１５から吸引され、掃除機本体７内の集塵室（図示せず）で塵埃が捕獲され、綺麗になった空気は、電動送風機を冷却した後、掃除機本体７の後部から排出される。
【００５４】
また、絨毯を清掃するときは、手元ハンドル４に設けたスイッチ（図示せず）を操作することにより、第２吸込具１０に設けた駆動手段３１に通電し、第２回転ブラシ１９と、第２回転ブラシ１９から回転動力を得て回転する第１回転ブラシ１７の両方で、絨毯内の塵埃を効果的に掻き上げることができる。
【００５５】
次に、狭い場所や、家具などを清掃するときは、第１吸込具１１を床面に置いたままで、操作レバー１３を足で踏むだけで、第１吸込具１１側の固定爪１８が、本体１１ａ内に没し、第２吸込具１０の固定穴３４から外れるので、第２吸込具１０を延長管２に接続した状態で簡単に第１吸込具１１から取り外すことができ、直ちに狭い場所や、家具などを清掃することができる。
【００５６】
家具や狭い場所の清掃後、第２吸込具１０を、床面に置いた第１吸込具１１の収納凹部２６に装着するだけで、再び第１吸込具１１を用いて床面などの通常の被掃除面の掃除を効率よく行なうことができる。
【００５７】
第１吸込具１１に形成された収納凹部２６は、第２吸込具１０の高さ方向寸法と略同等の深さに形成されており、これに第２吸込具１０を収容すると、図２（ｂ）に示すように、第１吸込具１１の上面から第２吸込具１０が少し出るのみで、家具の下などに第１吸込具１１を容易に挿入できる扁平な吸込具３を構成することができる。
【００５８】
前述したように、第２吸込具１０の吸気ヘッド４０と連結管９との間には左右方向に回動自在に連結する回動連結部８が設けられており、第２吸込具１０が第１吸込具１１に装着された状態では、図１に示すように連結管９に延長管２を介して連結された手元ハンドル４の上げ下げ動作に対応して、連結管９は、回動連結部８に対し上下回動する。
【００５９】
また、手元ハンドル４を回動させる動き、即ち第１吸込具１１の進路方向を左右いずれかの方向に変更するハンドル操作がなされるときには、進路方向に手元ハンドル４を回動させる動きが自然になされるので、回動連結部８に回動力が加わると、第１吸込具１１の後方側に回動連結部８があるため、軸の回動方向に第１吸込具１１が回動する動きが働き、スムーズに第１吸込具１１の進路変更ができる。
【００６０】
尚、第２吸込具１０を第１吸込具１１から離脱した状態では、第２吸込具１０の吸気ヘッド４０が自由に左右に回動すると扱い難くなるので、第２吸込具１０を第１吸込具１１から離脱した時に、吸気ヘッド４０の回動をロックする回動ロック手段（図示せず）を第２吸込具１０に内蔵し、第２吸込具１０を第１吸込具１１に装着したときに、第１吸込具１１に設けた突起（図示せず）で、回動ロック手段による吸気ヘッド４０の回動ロックを解除するようにすれば、より使用勝手の良い吸込具３を提供することができる。
【００６１】
以上のように構成された本実施の形態における吸込具３によれば、第２吸込具１０を第１吸込具１１に装着した状態では、幅広の第１吸込具１１により一般的な電気掃除機と同様に被掃除面の掃除を効率よく行なうことができ、第１吸込具１１が入らないような狭い場所や階段などを掃除する場合など、必要に応じて操作レバー１３を足踏みすると、腰を屈めることなく第１吸込具１１から第２吸込具１０を離脱させることができ、第２吸込具１０だけを用いた掃除ができるので、先端ノズルを付け替える面倒な作業は解消される。
【００６２】
また、第２吸込具１０を離脱した第１吸込具１１は、被掃除面にあるので、第２吸込具１０だけを用いての掃除が終わったら、その第２吸込具１０を第１吸込具１１に押し入れると即座に、通常の床掃除に移ることができる。
【００６３】
また、第２吸込具１０を第１吸込具１１に装着したとき、第２の吸入口１５と第１の吸入口２３が、吸込具３の前後方向で位置的に重なっているので、第１の吸入口２３と第２の吸入口１５との間の吸引通路が短縮され、空気圧損が少なくなり塵埃吸引性能が向上すると共に、紙くずなどかさばる塵埃も吸込具３内で引っ掛かりにくくなる。更に、第１の吸入口２３と第２の吸入口１５とが位置的に重なっているので、吸込具３全体の奥行き寸法が小さくなり、使い勝手が向上する。
【００６４】
また、第１吸込具１１に設けた左右の第１回転ブラシ１７の間に、第２吸込具１０の第２回転ブラシ１９が位置することにより、吸込具３の全体の高さが低くなると共に、吸込具３による幅方向での清掃領域を隙間無くカバーすることができる。
【００６５】
更に、第２回転ブラシ１９で第１回転ブラシ１７を回転駆動するようにしているので、第１吸込具１１に、第１回転ブラシ１７を回転駆動するための駆動手段を必要としないので、その駆動手段に通電するための部品や機構が不要になり、軽量化が図られると共に、信頼性を向上させることができる。
【００６６】
また、第２回転ブラシ１９の端部に設けた吸着円盤１９ｃと第１回転ブラシ１７の端部に設けた磁気円盤１７ｃを接合させて、第１回転ブラシ１７を回転駆動するようにしたので、第１回転ブラシ１７を確実に回転駆動できると共に、第１回転ブラシ１７と第２回転ブラシ１９の回転数が同じになり、掃除面で掃除ムラが発生することが無い。
【００６７】
また、小回り車輪３６を、第２吸込具１０に設けた回動連結部８の回動支点より後方に配設しているので、手元ハンドル４の操作により、第２吸込具１０を第１吸込具１１に装着するとき、小回り車輪３６を支点として第１吸込具１１の前部が立ち上がったり、前方に走行してしまうことがなく、非常に使用勝手が良い。
【００６８】
（実施の形態２）
図８（ａ）は、本発明の第２の実施の形態における電気掃除機用吸込具の平面図、図８（ｂ）は、図８（ａ）のＢ−Ｂ断面図（第２吸込具を床面に置いた状態）、図８（ｃ）は、図８（ａ）のＢ−Ｂ断面図（第２吸込具を床面から離した状態）である。尚、上記第１の実施の形態における電気掃除機用吸込具と同一部分については、同一符号を付してその説明を省略する。
【００６９】
図８において、本実施の形態における電気掃除機用吸込具４２（以下「吸込具４２」という）の第２吸込具１０の側壁内側に、受電ピン３２と駆動手段３１との間に電気的に直列に接続され磁気により電源を遮断する遮断手段としてリードスイッチ４５を配し、第１吸込具１１の収納凹部２６の側壁２６ｂの内側で、第２吸込具１０を第１吸込具１１の収納凹部２６に装着したときに、前記リードスイッチ４５と対向する位置に、上下動自在で付勢手段４９で下方に付勢された検知棒４６を設けている。
【００７０】
この検知棒４６の下端には、掃除面に接すると共に回転自在の回転ローラー４７が設けられ、検知棒４６の一部で、第１吸込具１１を床面から離したときに、リードスイッチ４５と略同一高さになる位置にマグネット４８が取り付けられている（図８（ｃ））。５０は、検知棒４６の下方への移動を規制するストッパーである。
【００７１】
本実施の形態では、図８（ｃ）に示すように、マグネット４８がリードスイッチ４５と略同一高さに位置したとき、すなわちマグネット４８がリードスイッチ４５に最も近づいたときに、マグネット４８の磁気によりリードスイッチ４５がＯＦＦ動作し、図８（ｂ）に示すように、マグネット４８がリードスイッチ４５から離れると、リードスイッチ４５がＯＮ動作するようになっている。
【００７２】
以上のように構成された本実施の形態における吸込具４２の動作、作用は以下の通りである。
【００７３】
通常の床面清掃のときは、第２吸込具１０を第１吸込具１１の収納凹部２６に装着して第１吸込具１１を床面に置くと、図８（ｂ）に示すような状態となる。この状態では、検知棒４６の下端に設けた回転ローラー４７が床面に当接し、付勢手段４９の付勢力に抗して検知棒４６が上方に押し上げられ、マグネット４８がリードスイッチ４５より高い位置になり、その結果マグネット４８の磁気がリードスイッチ４５に及ばなくなり、リードスイッチ４５がＯＮ動作する。
【００７４】
これにより、手元ハンドル４に設けたスイッチ（図示せず）を操作して、駆動手段３１に通電し第２回転ブラシ１９、第１回転ブラシ１７を回転駆動して床面上の塵埃を掻き上げることができる。若し掃除中に、第１吸込具１１を一時的に浮き上げたときは、付勢手段４９により、検知棒４６が下方に移動し、マグネット４８がリードスイッチ４５と同一高さになり、マグネット４８の磁気がリードスイッチ４５に及んでリードスイッチ４５がＯＦＦ動作し、第２回転ブラシ１９、第１回転ブラシ１７の回転が停止するので、安全である。
【００７５】
また、第２吸込具１０を第１吸込具１１から外すと、マグネット４８の磁気がリードスイッチ４５に及ばなくなって、リードスイッチ４５がＯＮ動作するので、第２吸込具１０単体で、第２回転ブラシ１９を回転させながら掃除運転ができるので、使用勝手が良い。
【００７６】
以上のように、本実施の形態によれば、第２吸込具１０を第１吸込具１１に装着して通常の掃除作業を行なっているときに、第１吸込具１１が掃除面から離れると、リードスイッチ４５が動作して、駆動手段３１への通電が遮断されるので、安全である。しかも、電気的に接続されるリードスイッチ４５を第１吸込具１１側に設けないので、第１吸込具１１の構成が簡略化され、安価に構成することができる。
【００７７】
（実施の形態３）
図９（ａ）は、本発明の第３の実施の形態における電気掃除機用吸込具の平面図、（ｂ）は、図９（ａ）のＣ−Ｃ断面図、（ｃ）は、同電気掃除機用吸込具の正面図である。尚、上記実施の形態における電気掃除機用吸込具と同一部分については、同一符号を付してその説明を省略する。
【００７８】
上記第１、２の実施の形態では、駆動手段３１で回転駆動される第２回転ブラシ１９で第１回転ブラシ１７を回転駆動するようにしたが、本実施の形態は、逆に第１回転ブラシ１７で第２回転ブラシ１９を回転駆動するようにしたものである。
【００７９】
図９において、本実施の形態における電気掃除機用吸込具５１（以下「吸込具５１」という）は、第１吸込具５２と、第１吸込具５２に装着自在の第２吸込具５３からなり、第１吸込具５２の前壁５２ａ及びバンパー５２ｂの、第１回転ブラシ１７の回転中心Ｃより下方で、しかも第１回転ブラシ１７と対向する位置に横長の空気取り入れ用のスリット５４を設けたもので、その他の構成は上記第１の実施の形態における第１吸込具１１と同じである。
【００８０】
また、第２吸込具５３は、特に、内部構成を図示しないが、上記第１の実施の形態における第２吸込具１０よりベルト３０、駆動手段３１、駆動手段３１に通電するための電気部品を省いたものと同一である。
【００８１】
以上のように構成された本実施の形態における吸込具５１の動作、作用は以下の通りである。
【００８２】
通常の床面や絨毯などの掃除面を掃除する際、第２吸込具５３を第１吸込具５２に装着して一体化された吸込具５１を掃除面に置くと、第１吸込具５２の第１吸入口５５が掃除面で覆われるため、第１吸込具５２の前壁５２ａ及びバンパー５２ｂに設けたスリット５４より外気が勢い良く流入し、それが第１回転ブラシ１７の下側の清掃片１７ｂに吹き付けられて、第１回転ブラシ１７が反時計方向に回転し始め、外気が第１回転ブラシ１７の複数の清掃片１７ｂに順次吹き付けられることにより第１回転ブラシ１７が高速回転する。
【００８３】
このとき、第２吸込具５３に回転自在に設けられた第２回転ブラシ１９の吸着円盤１９ｃと第１回転ブラシ１７の磁気円盤１７ｃが互いに吸着しているので、第２回転ブラシ１９も高速で回転し、最終的には、吸込具５１の略全幅に渡って掃除面上の塵埃を効率よく掻き上げることができる。
【００８４】
以上のように、本実施の形態によれば、第２回転ブラシを回転駆動する駆動手段を第２吸込具５３に設ける必要が無いので、第２吸込具５３の小型化、軽量化が図れる。また、第１回転ブラシ１７を、吸引される空気で回転させるようにして、モーターなどの電気的駆動手段を使用しないので、軽量、小型でしかも安価に構成することができる。
【００８５】
また、電動送風機（図示せず）を内蔵する掃除機本体に、上記第１〜３の実施の形態における吸込具３を連通接続することにより、吸引性能に優れた電気掃除機を提供することができる。
【００８６】
なお、上記実施の形態では、吸込具３、４２、５１を、ホース６、延長管２が連結される床移動型の電気掃除機１に使用した例で説明したが、本発明は、特にその形態に限定されるものでは無く、手元ハンドル付きの小型掃除機で、本体に短い管路で吸込具を取り付けたハンドクリーナと称される電気掃除機に上記吸込具３、４２又は５１を接続してもよく、それにより、ハンドクリーナとしての機能を向上させることができる。
【産業上の利用可能性】
【００８７】
以上のように、本発明に係る電気掃除機用吸込具は、小型で、圧損が少なく塵埃吸引性能に優れたもので、家庭用、業務用、店舗用などといった各種電気掃除機に適用することができるものである。
【図面の簡単な説明】
【００８８】
【図１】本発明の第１の実施の形態における電気掃除機用吸込具を接続した電気掃除機の全体斜視図
【図２】（ａ）同電気掃除機用吸込具の平面図、（ｂ）同電気掃除機用吸込具の側面図、（ｃ）は、図２（ａ）のＡ−Ａ断面図
【図３】（ａ）同電気掃除機用吸込具の第１吸込具の平面図、（ｂ）同第１吸込具の裏面図
【図４】同電気掃除機用吸込具の第２吸込具の側面図
【図５】（ａ）同第２吸込具の断面図、（ｂ）同第２吸込具の裏面図
【図６】同電気掃除機用吸込具の断面図
【図７】同電気掃除機用吸込具の裏面図
【図８】（ａ）本発明の第２の実施の形態における電気掃除機用吸込具の平面図、（ｂ）図８（ａ）のＢ−Ｂ断面図（第２吸込具を床面に置いた状態）、（ｃ）図８（ａ）のＢ−Ｂ断面図（第２吸込具を床面から離した状態）
【図９】（ａ）本発明の第３の実施の形態における電気掃除機用吸込具の平面図、（ｂ）図９（ａ）のＣ−Ｃ断面図、（ｃ）同電気掃除機用吸込具の正面図
【図１０】従来の電気掃除機用吸込具の斜視図
【図１１】同電気掃除機用吸込具の断面図
【図１２】従来の他の電気掃除機用吸込具の斜視図
【図１３】同電気掃除機用吸込具の断面図
【図１４】同電気掃除機用吸込具の第２吸込具の断面図
【符号の説明】
【００８９】
１    電気掃除機
３、４２、５１  電気掃除機用吸込具（吸込具）
７    掃除機本体
１０、５３  第２吸込具
１１、５２  第１吸込具
１５  第２の吸入口
１７  第１回転ブラシ
１９  第２回転ブラシ
２３  第１の吸入口
４５  リードスイッチ（遮断手段）
【図１】
2008188376.tif 000003
【図２】
2008188376.tif 000004
【図３】
2008188376.tif 000005
【図４】
2008188376.tif 000006
【図５】
2008188376.tif 000007
【図６】
2008188376.tif 000008
【図７】
2008188376.tif 000009
【図８】
2008188376.tif 000010
【図９】
2008188376.tif 000011
【図１０】
2008188376.tif 000012
【図１１】
2008188376.tif 000013
【図１２】
2008188376.tif 000014
【図１３】
2008188376.tif 000015
【図１４】
2008188376.tif 000016